(57)【要約】      （修正有）【課題】簡単な構造で組み立てやすく、蓋部の開閉を繰り返しても、蓋部をロックする部分が摩耗したり変形したりしにくいロック機能付き包装箱を提供する。【解決手段】側面板１４，１６，１８，２０で筒体を形成する。第二の側面板１６の裏面側に補助板４８が重なって糊付けされ、重なりの段差によって係合凹部が形成される。第二の側面板１６の押圧部６０が係合凹部と重なる位置に配置される。仕切板３０が、補助板４８の表面側に対向する。蓋片７０が筒体の開口部を閉鎖し、係合片７８が第二の折罫線８０で折り曲げられて差込片７４の表面側に重なり、差込片７４及び係合片７８が第二の側面板１６及び仕切板３０が対向する隙間に配置される。第二の折罫線８０の折り曲げに対する反発力によって、係合片７８が第二の側面板１６の方向に付勢されて係合凹部に入って係合し、差込片７４が抜けないようにロックされる。【選択図】図１
0003216513.tif 000002
【実用新案登録請求の範囲】
【請求項１】
一枚の箱体形成片から成り、前記箱体形成片には、互いに平行に連接された複数の側面板と、前記複数の側面板の連接方向の端部に順番に連接された第一の支持板、仕切板及び第二の支持板と、前記複数の側面板の中の１つである第一の側面板の、前記連接方向に対して直角方向の端部に延設された蓋片と、前記蓋片の先端部に延設され、第一の折罫線で前記蓋片と区切られた差込片と、前記差込片の先端部に延設され、第二の折罫線で前記差込片と区切られた係合片と、前記複数の側面板の中の１つである第二の側面板の、前記蓋片側の端部に延設された補助板と、前記第二の側面板の内側に、前記補助板の方向に膨出した形状の破断線又は切込線によって形成された舌片状の押圧部とが設けられ、
組み立て状態で、前記複数の側面板で筒体を形成して前記第一及び第二の側面板が互いに対向し、前記第二の側面板の裏面側に前記補助板が重なって糊付けされ、前記補助板が重なった部分と重ならない部分との段差によって係合凹部が形成され、前記押圧部が前記係合凹部と重なる位置に配置され、前記第一及び第二の支持板が、前記筒体の裏面側に糊付けされ、前記仕切板が、前記第一及び第二の支持板に支持されて前記補助板の表面側に対向し、前記蓋片が前記筒体の開口部を閉鎖し、前記係合片が前記第二の折罫線で折り曲げられて前記差込片の表面側に重なり、前記差込片が前記第一の折罫線で折り曲げられて、前記差込片及び前記係合片が前記第二の側面板及び前記仕切板が対向する隙間に配置され、前記第二の折罫線の折り曲げに対する反発力によって、前記差込片が前記仕切板の表面側に係止され、前記係合片が前記第二の側面板の方向に付勢されて前記係合凹部に入って係合し、前記差込片が抜けないようにロックされ、
前記押圧部が外側から押圧されると、前記係合片が前記押圧部に押されて前記係合凹部の外に移動し、ロックが解除されることを特徴とするロック機能付き包装箱。
【請求項２】
前記係合凹部は、前記補助板に形成された透孔により形成される請求項１記載のロック機能付き包装箱。
【請求項３】
前記仕切板の、前記蓋片側の端部には、組み立て状態で前記蓋片の内側に重なる内蓋片が延設されている請求項１又は２記載のロック機能付き包装箱。
【請求項４】
前記第一及び第二側面板とは異なる前記側面板の、前記蓋片側の端部に、サイドフラップが破断線で区切られて延設され、
組み立て状態で、前記サイドフラップが前記蓋片の裏面側に重なって糊付けされている請求項１乃至３のいずれか記載のロック機能付き包装箱。
【考案の詳細な説明】
【技術分野】
【０００１】
本考案は、小児等が蓋部を開くことができないようにロックする機構を備えたロック機能付き包装箱に関する。
【背景技術】
【０００２】
家庭で使用される薬剤等の包装箱は、開封後、蓋部を再封して使用されることが多いので、小児が内部の薬剤を誤使用する事故を防止するため、蓋部を簡単に開くことができない構造であること、すなわちチャイルドレジスタンス性が要求される。
【０００３】
従来、この種の包装箱として、例えば特許文献１に開示されているように、筒体を形成する４つの側面を有し、後側面に筒体の開口端を閉鎖する上封止面が延設され、上封止面の先端部に上差込片が延設され、上差込片を前側面の裏側に差し込んで再封したとき、上差込片が前面板に係合してロックされる包装用箱があった。上差込片には、上封止面に向かって凸となる形状の切り込み線に囲まれた係止片が設けられ、前面板には、筒体の開口端側の端部に向かって凸となる形状の切り込み線に囲まれた舌部が設けられている。そして、前面板の、舌部が離脱して生じる開口の上縁（係止部）に、上差込片から離脱した係止片の先端部が掛かることによって、上封止面が開かないようにロックされる。ロックを解除する時は、上封止面を押し下げつつ、係止片の係止部への掛かりが解けるまで、係止片又はその近傍等を外から押し入れる。
【先行技術文献】
【特許文献】
【０００４】
【特許文献１】特開２０１５−７７９７９号公報
【考案の概要】
【考案が解決しようとする課題】
【０００５】
特許文献１の包装用箱の場合、ロックの操作やロック解除の操作を行う時、係止片と係止部に大きいストレスが加わる構造なので、係止片や係止部が摩耗したり変形しやすい。したがって、蓋部の開閉を何回か繰り返すと、しっかりとしたロックができなくなる可能性がある。
【０００６】
本考案は、上記背景技術に鑑みて成されたものであり、簡単な構造で組み立てやすく、蓋部の開閉を繰り返しても、蓋部をロックする部分が摩耗したり変形したりしにくいロック機能付き包装箱を提供することを目的とする。
【課題を解決するための手段】
【０００７】
本考案は、一枚の箱体形成片から成り、前記箱体形成片には、互いに平行に連接された複数の側面板と、前記複数の側面板の連接方向の端部に順番に連接された第一の支持板、仕切板及び第二の支持板と、前記複数の側面板の中の１つである第一の側面板の、前記連接方向に対して直角方向の端部に延設された蓋片と、前記蓋片の先端部に延設され、第一の折罫線で前記蓋片と区切られた差込片と、前記差込片の先端部に延設され、第二の折罫線で前記差込片と区切られた係合片と、前記複数の側面板の中の１つである第二の側面板の、前記蓋片側の端部に延設された補助板と、前記第二の側面板の内側に、前記補助板の方向に膨出した形状の破断線又は切込線によって形成された舌片状の押圧部とが設けられ、
組み立て状態で、前記複数の側面板で筒体を形成して前記第一及び第二の側面板が互いに対向し、前記第二の側面板の裏面側に前記補助板が重なって糊付けされ、前記補助板が重なった部分と重ならない部分との段差によって係合凹部が形成され、前記押圧部が前記係合凹部と重なる位置に配置され、前記第一及び第二の支持板が、前記筒体の裏面側に糊付けされ、前記仕切板が、前記第一及び第二の支持板に支持されて前記補助板の表面側に対向し、前記蓋片が前記筒体の開口部を閉鎖し、前記係合片が前記第二の折罫線で折り曲げられて前記差込片の表面側に重なり、前記差込片が前記第一の折罫線で折り曲げられて、前記差込片及び前記係合片が前記第二の側面板及び前記仕切板が対向する隙間に配置され、前記第二の折罫線の折り曲げに対する反発力によって、前記差込片が前記仕切板の表面側に係止され、前記係合片が前記第二の側面板の方向に付勢されて前記係合凹部に入って係合し、前記差込片が抜けないようにロックされ、
前記押圧部が外側から押圧されると、前記係合片が前記押圧部に押されて前記係合凹部の外に移動し、ロックが解除されるロック機能付き包装箱である。
【０００８】
前記係合凹部は、前記補助板に形成された透孔により形成される構成にすることができる。また、前記仕切板の、前記蓋片側の端部には、組み立て状態で前記蓋片の内側に重なる内蓋片が延設されていてもよい。さらに、前記第一及び第二側面板とは異なる前記側面板の、前記蓋片側の端部に、サイドフラップが破断線で区切られて延設され、組み立て状態で、前記サイドフラップが前記蓋片の裏面側に重なって糊付けされていてもよい。
【考案の効果】
【０００９】
本考案のロック機能付き包装箱は、構造がシンプルで組み立てやすいものである。また、蓋部の開封した後、再封することができ、蓋部を閉じた時、小児が簡単に蓋部を開くことができないようにしっかりロックされるので、高いチャイルドレジスタンス性が得られる。しかも、ロックする部分が摩耗したり変形したりしにくい構造なので、開閉の繰り返しにも十分に耐えることができる。
【図面の簡単な説明】
【００１０】
【図１】本考案のロック機能付き包装箱を形成する箱体形成片を裏面側から見た展開図である。
【図２】図１の箱体形成片を組み立てる工程を示す平面図（ａ）、（ｂ）、（ｃ）である。
【図３】図１の箱体形成片を組み立てる工程を示す斜視図である。
【図４】図１の箱体形成片を組み立てる工程を示す断面図（ａ）、（ｂ）、（ｃ）である。
【図５】この実施形態のロック機能付き包装箱の組み立て状態を示す斜視図（ａ）、蓋部の状態を示す拡大図（ｂ）である。
【図６】この実施形態のロック機能付き包装箱を開封する操作を示す断面図（ａ）、（ｂ）、（ｃ）である。
【図７】この実施形態のロック機能付き包装箱を開封した状態を示す斜視図である。
【図８】補助板の変形例を示す平面図（ａ）、（ｂ）である。
【考案を実施するための形態】
【００１１】
以下、本考案のロック機能付き包装箱の一実施形態について、図面に基づいて説明する。この実施形態のロック機能付き包装箱１０は、図５に示すように、薬剤入りＰＴＰシート等の包装に適した略直方体の箱体であり、厚紙等の一枚のブランクシートを一体的に打ち抜いた箱体形成片１２を組み立てることによって形成される。
【００１２】
図１は、箱体形成片１２を裏面側から見た図であり、箱体形成片１２は、互いに平行に連接された４つの側面板１４，１６，１８，２０を有し、各々折罫線２２，２４，２６で区切られている。側面板１４，１６，１８，２０は、連接方向と直角な幅方向の長さが同じであり、連接方向の長さは、側面板１４，１８が短くて互いにほぼ等しく、側面板１６，２０が長くて互いにほぼ等しい。側面板１４，１６，１８，２０の、連接方向に対して直角方向の端部は、図１における上側の端部が蓋側、下側の端部が底側となる。以下、側面板２０を第一の側面板２０、側面板１６を第二の側面板１６と称する。
【００１３】
第一の側面板２０の連接方向の端部には、第一の支持板２８、仕切板３０及び第二の支持板３２が順番に連接されている。第一の支持板２８は、先端部が少し幅狭になった台形状の板であり、連接方向長さが側面板１４より少し短く、基端部が折罫線３４で第一の側面板２０と区切られている。仕切板３０は、略長方形の板であり、連接方向長さは第二の側面板１６とほぼ同じで、基端部が折罫線３６で第一の支持板２８と区切られている。第二の支持板３２は略長方形の板であり、連接方向長さは側面板１４より少し短く、基端部が折罫線３８６で仕切板３０と区切られている。
【００１４】
側面板１４の蓋側の端部にはサイドフラップ４０が延設され、破断線４２で側面板１４と区切られている。側面板１４の底側の端部にはサイドフラップ４４が延設され、折罫線４６で側面板１４と区切られている。
【００１５】
第二の側面板１６の蓋側の端部には略長方形の補助板４８が延設され、折罫線５０で第二の側面板１６と区切られている。補助板４８は、第二の側面板１６より少し小さく、折罫線５０で折り曲げられて第二の側面板１６の内側に収まる形状であり、折罫線５０に近い位置に、略長方形の透孔５２が形成されている。また、第二の側面板１６の底側の端部には略長方形の内底片５４が延設され、折罫線５６で第二の側面板１６と区切られている。内底片５４の延設長さは、側面板１４の連接方向長さより少し短い。
【００１６】
折罫線５０の中央部の、第二の側面板１６と補助板４８に跨る位置に、楕円状の透孔５８が設けられている。さらに、第二の側面板１６の内側の、透孔５８に近い位置に、押圧部６０が設けられている。押圧部６０は、補助板４８の方向に膨出した形状の破断線６０ａによって囲まれた舌片状の部分である。
【００１７】
側面板１８の蓋側の端部にはサイドフラップ６２が延設され、破断線６４で側面板１８と区切られている。側面板１８の底側の端部にはサイドフラップ６６が延設され、折罫線６８で側面板１８と区切られている。
【００１８】
第一の側面板２０の蓋側の端部には、略長方形の蓋片７０が延設され、折罫線７２で第一の側面板２０と区切られている。蓋片７０の延設長さは、側面板１４の連接方向長さとほぼ同じである。蓋片７０の先端部には、略四角形の差込片７４が延設され、第一の折罫線７６で蓋片７０と区切られている。差込片７４は、先端部の両角が丸く面取りされて幅狭になっている。そして、差込片７４の先端部には略長方形の係合片７８が延設され、第二の罫線８０で差込片７４と区切られている。係合片７８は、補助板４８の透孔５２の内側に収まる大きさである。また、第一の側面板２０の底側の端部には略長方形の外底片８２が延設され、折罫線８４で第一の側面板２０と区切られている。外底片８２の延設長さは、側面板１４の連接方向長さとほぼ同じである。
【００１９】
仕切板３０の蓋側の端部には、台形状の内蓋片８６が延設され、折罫線８８で区切られている。内蓋片８４の延設長さは、側面板１４の連接方向長さより少し短い。
【００２０】
次に、ロック機能付き包装箱１０の組み立て方法の一例を説明する。上記のように、図１は箱体形成片１２を裏面側から見たものであり、以下、箱体形成片１２の表面が凸になる折り方を正折り、そして裏面が凸になる折り方を逆折りと称して説明する。
【００２１】
まず、補助板４８の裏面に糊９０を塗布し、図２（ａ）に示すように、折罫線５０を正折りして補助板４８を第二の側面板１６の裏面に糊付けする。この状態で、補助板４８の透孔５２の内側に、第二の側面板１６の押圧部６０及び破断線６０ａが配置される。そして、折罫線３６を正折りし、仕切板３０及び第二の支持板３２を第一の支持板２８及び第一の側面板２０に重ね、第二の支持板３２の表面に糊９２を塗布する。
【００２２】
その後、図２（ｂ）に示すように、折罫線２６を正折りし、仕切板３０及び第二の支持板３２を補助板４８及び側面板１８に重ね、第二の支持板３２を側面板１８の裏面に糊付する。そして、第一の支持板２８の表面に糊９４を塗布し、図２（ｃ）に示すように、折罫線２２を正折りして、側面板１４の裏面に第一の支持板２８を糊付けする。箱体形成片１２は、この折り畳まれた状態で出荷される。
【００２３】
次に、収容物を包装する工場等において立体的に組み立てる。まず、折罫線２２，２４，２６，３４を各々９０度に正折りして立体的にする操作を行う。このとき、第一の支持板２８が側面板１４に糊付けされ、第二の支持板３２が側面板１８に糊付けされているので、折罫線３６，３８が自動的に９０度に正折りされて仕切板３０が自動的に移動し、図３に示す状態になる。
【００２４】
この状態で、４つの側面板１４，１６，１８，２０が筒体９６を形成し、第一の側面板２０と第二の側面板１６とが互いに対向する。筒体９６の内部は、図４（ａ）に示すように、第二の側面板１６の裏面側に補助板４８が重なって糊付けされ、透孔５８によって指掛用切り欠き９８が形成され、補助板４８が重なった部分と重ならない部分（透孔５２の部分）との段差によって係合凹部１００が形成され、押圧部６０が係合凹部１００と重なる位置に配置される。そして、仕切板３０が、第一及び第二の支持板２８と３２に支持されて、補助板４８の表面側に隙間を空けて対向する。
【００２５】
その後、底部を閉鎖するため、折罫線４６，６８でサイドフラップ４４，６６を９０度に正折りし、折罫線５６で内底片５４を９０度に正折りする。そして、外底片８２の裏面に糊を塗布した後、折罫線８４で外底片８２を９０度に正折りし、外底片８２を内底片５４の表面に糊付けする。これで底部が閉鎖された箱体となり、開放している蓋側の開口部から収容物を入れる。
【００２６】
次に、蓋部を閉鎖する操作を行う。まず、破断線４２，６４でサイドフラップ４０，６２を９０度に正折りし、サイドフラップ４０，６２の表面に糊１０２，１０４を各々塗布する。そして、図４（ｂ）に示すように、折罫線８８を９０度に正折りして内蓋片８６を倒し、第二の折罫線８０を逆折りして係合片７８を差込片７４の表面に重ね、第一の折罫線７６と折罫線７２を正折りすることによって、係合片７８及び差込片７４を仕切板３０と補助板４８との隙間に差し込む。そして、奥まで差し込むと、係合片７８が係合凹部１００に入り、蓋片７０の裏面がサイドフラップ４０，６２に糊付されて蓋部が閉鎖される。このとき、内蓋片８６がサイドフラップ４０，６２の裏面を支持するので、サイドフラップ４０，６２が蓋片７０に確実に密着して綺麗に糊付けされる。
【００２７】
以上で、組み立て作業が終了し、図４（ｃ）、図５（ａ）、（ｂ）に示す組み立て状態になる。この状態で、第二の折罫線８０の折り曲げに対する反発力によって、差込片７４が仕切板３０の表面側に係止され、係合片７８が第二の側面板１６の方向に付勢されて係合凹部１００に入って係合し、差込片７４が抜けないようにロックされる。
【００２８】
ロック機能付き包装箱１０を開封する時は、まず、押圧部６０を指で押して破断線６０ａを破断させ、図６（ａ）に示すように、押圧部６０をさらに内側に押し込む。すると、係合片７８が押圧部６０に押されて係合凹部１００の外に移動し、ロックが解除される。そして、指掛用切り欠き９８から露出している差込片７４の角部に指を掛け、これを引き上げて破断線４２，６４を破断させ、サイドフラップ４０，６２を側面板１４，１８から分離させる。
【００２９】
さらに蓋片７０を引き上げて、図６（ｂ）に示すように、差込片７４と係合片７８を引き抜く。そして、蓋片７０を外側に倒すように大きく開き、内蓋片８６を起こすと、図６（ｃ）及び図７に示す状態になり、蓋部が開放されて中の収容物を取り出すことができる。
【００３０】
ロック機能付き包装箱１０を再封する時は、図４（ａ）、（ｂ）、（ｃ）に示す操作を順に行う。ただし、再封する時は、サイドフラップ４０，６２を蓋片７０に糊付けする作業は行わない。
【００３１】
以上説明したように、ロック機能付き包装箱１０は、構造がシンプルで組み立てやすいものである。また、蓋部を開封した後、再封することができ、蓋部を閉じた時、小児が簡単に蓋部を開くことができないようにしっかりロックされるので、高いチャイルドレジスタンス性が得られる。しかも、ロックする部分が摩耗したり変形したりしにくい構造なので、開閉の繰り返しにも十分に耐えることができる。
【００３２】
ロック機能付き包装箱１０は、押圧部６０が破断線６０ａに囲まれて形成され、さらに、サイドフラップ４０，６２が破断線４２，６４で区切られて蓋片７０に糊付される構成なので、不正に開封された場合に、破断線６０ａや破断線４２，６４が破れた跡が残るので、改ざん防止の効果も得られる。
【００３３】
なお、本考案のロック機能付き包装箱は、上記実施形態に限定されない。例えば、第二の側面板の端部に延設される補助板は、組み立て状態で第二の側面板の裏面側に重なって糊付けされ、補助板が重なった部分と重ならない部分との段差によって係合凹部を形成するものであればよい。上記の補助板４８の場合、大きさが第二の側面板とほぼ同じであり、内側の透孔５８により係合凹部１００が形成される構成であるが、例えば、図８（ａ）に示す補助板４８(1)のように、透孔５８よりも先端側の部分を短くした形状にしてもよい。また、図８（ｂ）に示す補助板４８(2)のように、先端部に設けた切り欠き１０６によって係合凹部を形成する形状にしてもよい。
【００３４】
仕切板は、組み立て状態で、係合片が第二の側面板の方向に付勢されるように差込片を係止できる構造であればよく、形状や大きさは適宜変更することができ、第一及び第二の支持板についても、仕切板の構造に合わせて変更することができる。また、ロック機能付き包装箱１０の場合、第一の支持板２８は、側面板１４，１６，１８，２８で筒体９６を形成するための糊付片として兼用されているが、第一の支持板を糊付片と別々に設けてもよい。また、ロック機能付き包装箱１０の場合、上述した改ざん防止の構造を備えているが、不要であれば、破断線６０ａを切込線に変更し、破断線４２，６４を折罫線に変更し、サイドフラップ４０，６２の糊付けを行わない構成とすることも可能である。
【００３５】
その他、筒体を形成する側面板の数や大きさや形状、糊付片や底面の構造等は自由に変更することができる。また、箱体形成片の材質や厚みについても特に限定されない。
【符号の説明】
【００３６】
１０  ロック機能付き包装箱
１２  箱体形成片
１４，１８  側面板
１６  第二の側面板
２０  第一の側面板
２８  第一の支持板
３０  仕切板
３２  第二の支持板
４０  サイドフラップ
４２  破断線
４８，４８(1)，４８(2)  補助板
５２  透孔
６０  押圧部
６０ａ  破断線
６２  サイドフラップ
６４  破断線
７０  蓋片
７４  差込片
７６  第一の折罫線
７８  係合片
８０  第二の折罫線
８６  内蓋片
【図１】
0003216513.tif 000003
【図２】
0003216513.tif 000004
【図３】
0003216513.tif 000005
【図４】
0003216513.tif 000006
【図５】
0003216513.tif 000007
【図６】
0003216513.tif 000008
【図７】
0003216513.tif 000009
【図８】
0003216513.tif 000010